(57)【要約】      （修正有）【課題】容易に正確な作動状態を検出できるディスク式スチームトラップの提供【解決手段】ディスク式スチームトラップ１００は、弁座５の上面に内部電極部１３１を、トラップ本体１の外表面に外部電極部１３３ａ、１３３ｂを有している。ディスク式スチームトラップ１００では、弁ディスク１１５が弁座５の上面に位置する時、即ち、弁ディスク１１５が排出経路を遮断している時には、第１内部電極１３１ａｃと第２内部電極１３１ｂｃとは弁ディスク１１５を介して電気的に接続される。一方、弁ディスク１１５が弁座５の上面に位置しない時、即ち、弁ディスク１１５が排出経路を開放している時には、第１内部電極１３１ａｃと第２内部電極１３１ｂｃとは電気的に接続されない。このように、ディスク式スチームトラップ１００では、電気的接続の有無によって、正確な弁ディスクの作動状態を、外部電極部を介して、容易に電気信号として取得することができる。【選択図】図１
2015090198.tif 000002
【特許請求の範囲】
【請求項１】
下面から上面に通じる流入通路及び前記下面から前記上面に通じる排出通路を有する弁座、前記弁座の上に位置し、前記弁座との間に前記流入通路及び前記排出通路と通じる変圧室を形成する蓋部材、前記変圧室内に遊置され、前記弁座の前記上面に沿って位置する時に、前記流入通路から前記排出通路へ通じる排出経路を遮断し、前記弁座の前記上面に沿って位置しない時に、前記排出経路を開放する、導体からなる弁ディスク、を有するディスク式スチームトラップにおいて、
前記ディスク式スチームトラップは、
前記弁座の前記上面に配置され、前記弁ディスクが前記弁座の前記上面に沿って位置する時に、前記弁ディスクと電気的接続を形成する第１の電極及び第２の電極、
を有するディスク式スチームトラップ。
【請求項２】
請求項１に係るディスク式スチームトラップにおいて、
外部から前記第１の電極と前記第２の電極との間の電気的接続の有無を取得する第１の外部電極であって、前記第１の電極と接続する第１の外部電極、
外部から前記第１の電極と前記第２の電極との間の電気的接続の有無を取得する第２の外部電極であって、前記第２の電極と接続する第２の外部電極、
を有するディスク式スチームトラップ。
【請求項３】
請求項２に係るディスク式スチームトラップにおいて、
前記第１の外部電極又は前記第２の外部電極のいずれか一方が、前記ディスク式スチームトラップを構成する部材であること、
を特徴とするディスク式スチームトラップ。
【請求項４】
請求項２又は請求項３に係るディスク式スチームトラップにおいて、
前記第１の電極と前記第２の電極との間で生ずる電気的な接続が、前記弁ディスクを介したものであるか否かを判断する電気的接続判断回路、
を有するディスク式スチームトラップ。
【発明の詳細な説明】
【技術分野】
【０００１】
本発明は、ディスク式スチームトラップに関し、特に、弁ディスクの作動状態を取得できるものに関する。
【背景技術】
【０００２】
従来から用いられている一般的なディスク式スチームトラップについて、図６に示すディスク式スチームトラップを用いて説明する。ディスク式スチームトラップは、トラップ本体１、弁座５、内蓋１３、弁ディスク１５、バイメタル環１６、保持メタル（環状板）１７、外蓋１８、及び、スクリーンホルダ２１を有している。なお、図６においては、ガスケット等、その他の構成については記載を省略している。
【０００３】
トラップ本体１には、流入口２、及び、流出口３が形成されている。また、トラップ本体１は、流入口２に連通する連通孔２０が形成されている。トラップ本体１は、内部に、スクリーン４を有している。トラップ本体１のスクリーン４が配置されている端部には、スクリーンホルダ２１が取り付けられている。
【０００４】
弁座５には、流入通路６、及び、流出通路７が穿設されている。また、弁座５の上面には、環状溝１０が形成されている。弁座５の上面において、環状溝１０の外側は外輪弁座８として、また、環状溝１０の内側は内輪弁座９として、それぞれ機能する。さらに、弁座５の外周側面には、円錐状の斜面１１が形成されている。なお、弁座５は、トラップ本体１の上部に配置される。
【０００５】
バイメタル環１６は、弁座５の外周面に沿う形で嵌挿され、弁座５の円錐状の斜面１１の上部に配置される。バイメタル環１６は、内側の方が外側よりも熱膨脹率が大きい二枚の金属板によって構成されている。また、バイメタル環１６は、円周開口部（図示せず）を有している。
【０００６】
保持メタル１７は、弁座５の外周面に沿う形で嵌挿され、バイメタル環１６の上部に配置される。
【０００７】
弁ディスク１５は、弁座５の上面に配置され、外部から力が加わっていない状態では、自由に移動できる。
【０００８】
内蓋１３は、トラップ本体１に螺着される。内蓋１３をトラップ本体１に螺着することによって、同時に、内蓋１３の下に位置する弁座５も、トラップ本体１に固着される。内蓋１３をトラップ本体１に螺着すると、内蓋１３と弁座５との間に、変圧室１４が形成される。なお、弁ディスク１５は、弁座５の上面に沿って配置されるため、変圧室１４の内部に配置されることになる。
【０００９】
外蓋１８は、トラップ本体１に螺着される。これにより、外蓋１８で内蓋１３との間に保温室１９が形成される。保温室１９は、連通孔２０によって、トラップ本体１の流入口２と連通する。なお、保温室１９は、外気温による変圧室１４の温度低下を防ぐことができる。
【００１０】
次に、上記の従来のディスク式スチームトラップの作動について説明する。ディスク式スチームトラップに蒸気を送りはじめた状態では、トラップ本体１の内部、変圧室１４、及び、保温室１９は低温であるため、バイメタル環１６は縮閉し、弁座５の円錐状の斜面１１に沿って上側に移動し、保持メタル１７を介して、弁ディスク１５を上側に持ち上げている。これにより、流入口２〜流入通路６〜流出通路７〜流出口３からなる排出経路が形成され、多量の初期空気や初期ドレン（冷水）は、素早くディスク式スチームトラップから排出される。
【００１１】
一方、初期空気、初期ドレンの排出が終わって、高温ドレンがディスク式スチームトラップに流入すると、トラップ本体１の内部、変圧室１４、及び、保温室１９が加熱される。これにより、変圧室１４に位置するバイメタル環１６が加熱され、バイメタル環１６は、膨張拡開し、弁座５の円錐状の斜面１１に沿って下側に移動する。このとき、弁ディスク１５は、流入通路６から流出通路７へ向かう高温ドレンにより浮上状態を維持する。高温ドレンの排出が終わり蒸気のみが流入口２から流入すると、排出経路を流れる蒸気は、自由状態で弁座５の上面に載置されている弁ディスク１５の下面に、高速度で流れるジェット流を形成する。このジェット流は、弁ディスク１５の下面側に低圧域を形成し、更に、ジェット流の一部は、弁ディスク１５の周囲から上面側へ回り込み、弁ディスク１５の上面側に高圧域を形成する。高圧域が所定の圧力に到達すると、弁ディスク１５は、弁座５の上面に圧接され、弁座５の上面にて排出経路を遮断する。
【００１２】
弁ディスク１５が排出経路を遮断した後において、外蓋１８、保温室１９及び内蓋１３がドレンや外気に接して放熱すると、その影響を受けて変圧室１４の温度が降下する。これにより、変圧室１４に滞留していた蒸気が冷凝し、変圧室１４の圧力を低下させる。弁ディスク１５によって閉じられている流入通路６から受ける押上げの圧力よりも、変圧室１４の圧力が低くなると、弁ディスク１５は排出経路を開放し、ドレンを排出する。排水が完了すれば、弁ディスク１５は排出経路を遮断する。
【００１３】
ディスク式スチームトラップは、このような動作を繰り返すことによって、流入してくるドレンを自動的に間欠排出する。
【００１４】
上述のようなディスク式スチームトラップに対して、交換時期の把握等保守管理の観点から、作動状態を確認することが行なわれている。前述のように、ディスク式スチームトラップでは、内蓋及び外蓋によって、内部構造が密閉されているため、作動状態を直接確認することができない。そのため、作動状態を確認するための検出器が、種々、開発され、実用に供されてきた。
【００１５】
その一つであるディスク式スチームトラップの作動検出器Ｍ１について、図７を用いて説明する。ディスク式スチームトラップの作動検出器Ｍ１は、ディスク式スチームトラップの振動の強さを計測し、計測した振動強さから作動回数を算出し、算出した作動回数から、蒸気漏れの有無を判定すると共に、蒸気漏れ量も演算するものである。
【００１６】
検出器Ｍ１の先端の温度センサーＭ１０を被検出物に押し当てると、検出針Ｍ２がコイルスプリングＭ２２の付勢力に抗して検出針保持部材Ｍ４の先端まで押し込まれ、この位置でマイクロスイッチＭ３１が入り、演算表示器Ｍ５０が測定開始状態となる。
【００１７】
温度センサーＭ１０からの温度信号が直接導線を通じ演算表示器Ｍ５０へ、同時に機械的振動が検出針Ｍ２を通して振動板取付け部材Ｍ１１に伝わり、振動板Ｍ２１を振動させる。振動板Ｍ２１の振動は、マイクホルダーＭ１８内の空間を伝播し対面する超音波マイクＭ１６に伝わり、振動信号としてプリント基板Ｍ２０を通して演算表示器Ｍ５０へ送られる。
【００１８】
演算表示器Ｍ５０は、以下の処理をし、判定結果を表示する。温度センサーＭ１０からの温度信号Ｔ０が予め記憶した基準温度Ｔ１よりも小さいか否かを判断する（ステップＳ１）。この判断結果がＹＥＳであれば、復水排出機構を喪失したフンヅマリの判定をする（ステップＳ２）。ステップＳ１の判断結果がＮＯであれば、実測した振動の強さから開閉弁作動の回数Ｋを検出し（ステップＳ３）、回数Ｋが１５秒間に１回以内であるか否かを判断する（ステップＳ４）。この判断結果がＹＥＳであれば、正常と判定する（ステップＳ５）。ステップＳ４の判断結果がＮＯであれば、実測した振動の強さの平均値Ａ０を演算し（ステップＳ６）、この平均値Ａ０と正常なトラップの振動の強さの平均値Ａ１を比較して蒸気漏れ量を演算する。
【００１９】
ディスク式スチームトラップは弁部に摩耗や傷が生じると、復水が満水していないのに開弁する、いわゆる空打ちを生じる。ディスク式スチームトラップの正常な開閉弁作動は、通常１分間に４回以内程度であるので、４回以上の開閉弁作動を行なっているものは、空打ち不良と判定することができる。また、所定時間内に於ける、正常なトラップの振動の強さの平均値と、空打ち不良のトラップの振動の強さの平均値を比較することにより、蒸気漏れの量を演算することができる（以上、特許文献１参照）。
【先行技術文献】
【特許文献】
【００２０】
【特許文献１】実公平７−１２８００号公報
【発明の概要】
【発明が解決しようとする課題】
【００２１】
前述のディスク式スチームトラップの作動検出器Ｍ１には、以下に示すような改善すべき点がある。ディスク式スチームトラップの作動検出器Ｍ１は、ディスク式スチームトラップの作動状態を検出するものであるが、直接的に作動状態を計測するものではない。このため、ディスク式スチームトラップの作動検出器Ｍ１には、作動状態の検出に、誤差が生ずる可能性がある、という改善すべき点がある。
【００２２】
そこで、本発明は、容易に正確な作動状態を検出できるディスク式スチームトラップの提供を目的とする。
【発明の効果】
【００２３】
本発明における課題を解決するための手段及び発明の効果を以下に示す。
【００２４】
本発明に係るディスク式スチームトラップは、下面から上面に通じる流入通路及び前記下面から前記上面に通じる排出通路を有する弁座、前記弁座の上に位置し、前記弁座との間に前記流入通路及び前記排出通路と通じる変圧室を形成する蓋部材、前記変圧室内に遊置され、前記弁座の前記上面に沿って位置する時に、前記流入通路から前記排出通路へ通じる排出経路を遮断し、前記弁座の前記上面に沿って位置しない時に、前記排出経路を開放する、導体からなる弁ディスク、を有するディスク式スチームトラップにおいて、前記ディスク式スチームトラップは、前記弁座の前記上面に配置され、前記弁ディスクが前記弁座の前記上面に沿って位置する時に、前記弁ディスクと電気的接続を形成する第１の電極及び第２の電極、を有する。
【００２５】
これにより、弁ディスクが弁座の上面に位置する時には、第１電極と第２電極とは、弁ディスクを介して、電気的に接続される。一方、弁ディスクが弁座の上面に位置しない時には、第１電極と第２電極とは、電気的に接続されない。よって、電気的接続の有無によって、容易に、正確な弁ディスクの作動状態を取得することができる。
【００２６】
本発明に係るディスク式スチームトラップは、外部から前記第１の電極と前記第２の電極との間の電気的接続の有無を取得する第１の外部電極であって、前記第１の電極と接続する第１の外部電極、外部から前記第１の電極と前記第２の電極との間の電気的接続の有無を取得する第２の外部電極であって、前記第２の電極と接続する第２の外部電極、を有する。
【００２７】
これにより、外部からに記第１の電極と前記第２の電極との間の電気的接続の有無を取得できるので、容易に、外部から、正確な弁ディスクの作動状態を取得することができる。
【００２８】
本発明に係るディスク式スチームトラップは、前記第１の外部電極又は前記第２の外部電極のいずれか一方が、前記ディスク式スチームトラップを構成する部材であること、を特徴とする。
【００２９】
これにより、ディスク式スチームトラップの構造を簡素化でき、製造コストを低減することができる。
【００３０】
本発明に係るディスク式スチームトラップは、前記第１の電極と前記第２の電極との間で生ずる電気的な接続が、前記弁ディスクを介したものであるか否かを判断する電気的接続判断回路、を有する。
【００３１】
これにより、変圧室の内部に、所定のドレンが流入することにより、第１の電極と第２の電極とが電気的に接続された場合であっても、弁ディスクの作動状態を正しく判定することができる。
【図面の簡単な説明】
【００３２】
【図１】本発明に係るディスク式スチームトラップの一実施例であるディスク式スチームトラップ１００の断面を示す図である。
【図２】図１に示すディスク式スチームトラップ１００の作動状態を示す図である。
【図３】本発明に係るディスク式スチームトラップのその他の実施例を示す図である。
【図４】本発明に係るディスク式スチームトラップのその他の実施例を示す図である。
【図５】本発明に係るディスク式スチームトラップのその他の実施例を示す図である。
【図６】従来のディスク式スチームトラップを示す図である。
【図７】従来のディスク式スチームトラップの検出器を示す図である。
【発明を実施するための形態】
【００３３】
以下、本発明の実施例について、図面を参照しながら詳細に説明していく。
【実施例１】
【００３４】
本発明に係るディスク式スチームトラップの一例であるディスク式スチームトラップ１００について図１を用いて説明する。なお、図１においては、図６に示す従来のディスク式スチームトラップと同様の構成については、同じ符号を付すと共に、その詳細な記述を省略する。
【００３５】
第１  ディスク式スチームトラップ１００の構成
ディスク式スチームトラップ１００の全体構成について図１を用いて説明する。ディスク式スチームトラップ１００は、トラップ本体１、弁座５、内蓋１３、弁ディスク１１５、バイメタル環１６、保持メタル１７、外蓋１８、スクリーンホルダ２１、内部電極部１３１、及び、外部電極部１３３を有している。
【００３６】
弁ディスク１１５は、円盤形状を有している。弁ディスク１１５は、弁座５の上面に配置され、外部から力が加わっていない状態では、自由に移動できる。また、弁ディスク１１５は、金属等、所定の電流が流れる導体により形成されている。
【００３７】
トラップ本体１、内蓋１３、及び、外蓋１８は、鋳鉄で形成されている。弁座５及び弁ディスク１１５は、防錆や強度等を考慮して、ステンレスにより形成されている。
【００３８】
内部電極部１３１は、第１内部電極部１３１ａ及び第２内部電極部１３１ｂを有している。第１内部電極部１３１ａ及び第２内部電極部１３１ｂは、弁座５の外輪弁座８に形成される。また、第１内部電極部１３１ａと第２内部電極部１３１ｂとは、弁座５の中心に対して対向する位置に配置されている。第１内部電極部１３１ａ及び第２内部電極部１３１ｂは、外輪弁座８の表面から電気的接続をとることができるような位置に配置される。
【００３９】
第１内部電極部１３１ａは、第１内部電極１３１ａｃ及び第１内部絶縁部１３１ａｉを有している。第１内部電極１３１ａｃは、導電性の金属により形成されている。第１内部絶縁部１３１ａｉは、セラミックや樹脂等の絶縁材料により形成されている。また、第１内部絶縁部１３１ａｉは、第１内部電極１３１ａｃを取り囲むように配置される。これにより、第１内部電極１３１ａｃは、弁座５に対して絶縁状態で配置される。第２内部電極部１３１ｂについても同様である。
【００４０】
外部電極部１３３は、第１外部電極部１３３ａ及び第２外部電極部１３３ｂを有している。第１外部電極部１３３ａ及び第２外部電極部１３３ｂは、それぞれ、トラップ本体１の外表面から電気的接続をとることができるように、トラップ本体１のフランジ部に配置される。
【００４１】
第１外部電極部１３３ａは、第１外部電極１３３ａｃ及び第１外部絶縁部１３３ａｉを有している。第１外部電極１３３ａｃは、導電性の金属により形成されている。第１外部絶縁部１３３ａｉは、セラミックや樹脂等の絶縁材料により形成されている。また、第１外部絶縁部１３３ａｉは、第１外部電極１３３ａｃを取り囲むように配置される。これにより、第１外部電極１３３ａｃは、トラップ本体１に対して絶縁状態で配置される。第２外部電極部１３３ｂについても同様である。
【００４２】
なお、第１内部電極１３１ａｃと第１外部電極１３３ａｃとは電気的に接続され、また、第２内部電極１３１ｂｃと第２外部電極１３３ｂｃとは電気的に接続される。
【００４３】
第２  ディスク式スチームトラップ１００の動作
次に、ディスク式スチームトラップ１００の動作について図１、及び、図２を用いて説明する。なお、図２においては、図６に示す従来のディスク式スチームトラップと同様の構成については、同じ符号を付すと共に、その詳細な記述を省略する。
【００４４】
ディスク式スチームトラップ１００では、図２に示すように、弁ディスク１１５が弁座５の上面に位置する時、即ち、弁ディスク１１５が排出経路を遮断している時には、第１内部電極１３１ａｃと第２内部電極１３１ｂｃとは、弁ディスク１１５を介して、電気的に接続される。一方、ディスク式スチームトラップ１００では、図１に示すように、弁ディスク１１５が弁座５の上面に位置しない時、即ち、弁ディスク１１５が排出経路を開放している時には、第１内部電極１３１ａｃと第２内部電極１３１ｂｃとは、電気的に接続されない。
【００４５】
このように、ディスク式スチームトラップ１００では、電気的接続の有無によって、正確な弁ディスク１１５の作動状態を、外部電極部１３３を介して、容易に電気信号として取得することができる。また、第１内部電極１３１ａｃと第２内部電極１３１ｂｃとの間で、電気が流れる状態から電気が流れない状態へ、及び／又は、電気が流れない状態から電気が流れる状態へ、それぞれの状態変化から、弁ディスク１１５の作動回数を取得することができる。
【００４６】
外部電極部１３３を介して取得した電気信号は、外部電極部１３３に接続される送信機（図示しない）によって、所定のサーバ（図示しない）へ送信される。
【００４７】
［他の実施例］
（１）内部電極部１３１の配置位置：前述の実施例１においては、内部電極部１３１を構成する第１内部電極部１３１ａ、第２内部電極部１３１ｂを、共に、外輪弁座８に形成するとしたが、閉弁時に、弁ディスク１１５と電気的接続を形成できる位置であれば、例示の場所に限定されない。例えば、図３に示すディスク式スチームトラップ２００のように、第１内部電極部２３１ａ、第２内部電極部２３１ｂを有する内部電極部２３１を形成し、第１内部電極部２３１ａを内輪弁座９に形成し、第２内部電極部２３１ｂを外輪弁座８に形成するようにしてもよい。また、その逆であってもよい。さらに、実施例１における第１内部電極部１３１ａ、第２内部電極部１３１ｂの両方を、内輪弁座９に形成するようにしてもよい。
【００４８】
さらに、前述の実施例１においては、第１内部電極部１３１ａと第２内部電極部１３１ｂとを、弁座５の中心に対して対向する位置に形成するとしたが、弁ディスク１１５と電気的接続を形成できる位置であれば、例示の場所に限定されない。例えば、第１内部電極部１３１ａ、第２内部電極部１３１ｂを、対向する位置から所定角度だけずれた位置に配置するようにしてもよい。
【００４９】
（２）外部電極部１３３の配置位置：前述の実施例１においては、外部電極部１３３を、トラップ本体１に形成する構成としたが、ディスク式スチームトラップ１００を構成するその他の構成要素で、外部から、電気的接続をとることができるものに形成するようにしてもよい。
【００５０】
また、ディスク式スチームトラップ１００に外部電極部１３３を形成せずに、所定の配線により、ディスク式スチームトラップ１００から離れた位置に、外部電極部１３３を形成するようにしてもよい。
【００５１】
また、図４に示すディスク式スチームトラップ３００ように、第２内部電極３３１ｂｃを導体としてのトラップ本体１に接地（アース）する、つまり、トラップ本体１を第２外部電極部１３３ｂとして形成するようにしてもよい。これにより、構造を簡素化でき、製造コストを低減することができる。なお、第１内部電極をトラップ本体１に接地するようにしてもよい。
【００５２】
さらに、前述の実施例１においては、外部電極部１３３に所定の送信機を接続するとしたが、弁ディスク１１５の作動状態を示す電気信号を取得できるものであれば、例示のものに限定されない。例えば、外部電極部１３３に所定の記録媒体を接続し、弁ディスク１１５の作動状態を示す電気信号を取得するようにしてもよい。この場合、所定期間毎に、記録媒体を回収することによって、弁ディスク１１５の作動状態を示す電気信号を取得することができる。
【００５３】
（３）ディスク式スチームトラップの形態：前述の実施例１においては、ディスク式スチームトラップ１００は、バイメタル環１６を用いて弁ディスク１１５を移動させることによって、排出経路を開放し、遮断する形態であったが、弁ディスク１１５の移動により、排出経路を開放、遮断し、ドレンを排出するものであれば、例示のものに限定されない。例えば、バイメタル環１６を用いないようにしてもよい。
【００５４】
（４）ドレン流入対策：前述の実施例１において、さらに、変圧室１４の内部に導電性のドレンが流入し、第１内部電極１３１ａｃと第２内部電極１３１ｂｃとが電気的に接続されることによる、弁ディスクの作動状態の誤判断を防止するドレン流入対策を施すようにしてもよい。第１外部電極１３３ａｃと第２外部電極１３３ｂｃとの間に流れる電流値又は抵抗値は、弁ディスク１１５を介した電気的接続であるか、ドレンによる電気的接続であるかによって変化する。ドレンによる電気的接続の場合、弁ディスク１１５による電気的接続の場合よりも抵抗が大きいため、電流が流れ難くなる。この知見を利用して、ドレン流入対策として、例えば、図５に示すディスク式スチームトラップ４００のように、第１外部電極１３３ａｃと第２外部電極１３３ｂｃと間に流れる電流値又は抵抗値を所定の閾値と比較し、弁ディスク１１５を介した電気的接続であるか否かを判断する電気的接続判断処理を実行する電気的接続判断回路４０１を、外部電極部１３３と外部に配置する送信器との間に配置するようにしてもよい。なお、電気的接続判断回路４０１の配置位置については、電気的接続判断処理を実行できる位置であれば、例示のものに限定されない。
【産業上の利用可能性】
【００５５】
本発明に係るディスク式スチームトラップは、例えば、プラントに設置されるディスク式スチームトラップに利用することができる。
【符号の説明】
【００５６】
１００・・・・・ディスク式スチームトラップ
１１５・・・・・弁ディスク
１３１・・・・・内部電極部
１３１ａ・・・第１内部電極部
１３１ａｃ・・第１内部電極
１３１ａｉ・・第１内部絶縁部
１３１ｂ・・・第２内部電極部
１３１ｂｃ・・第２内部電極
１３１ｂｉ・・第２内部絶縁部
１３３・・・・外部電極部
１３３ａ・・・第１外部電極部
１３３ａｃ・・第１外部電極
１３３ａｉ・・第１外部絶縁部
１３３ｂ・・・第２外部電極部
１３３ｂｃ・・第２外部電極
１３３ｂｉ・・第２外部絶縁部
２００・・・・・ディスク式スチームトラップ
２３１・・・・・内部電極部
２３１ａ・・・第１内部電極部
２３１ａｃ・・第１内部電極
２３１ａｉ・・第１内部絶縁部
２３１ｂ・・・第２内部電極部
２３１ｂｃ・・第２内部電極
２３１ｂｉ・・第２内部絶縁部
３００・・・・・ディスク式スチームトラップ
３３１・・・・・内部電極部
３３１ｂ・・・第２内部電極部
３３１ｂｃ・・第２内部電極
３３１ｂｉ・・第２内部絶縁部
４００・・・・・ディスク式スチームトラップ
４０１・・・・・電気的接続判断回路
【図１】
2015090198.tif 000003
【図２】
2015090198.tif 000004
【図３】
2015090198.tif 000005
【図４】
2015090198.tif 000006
【図５】
2015090198.tif 000007
【図６】
2015090198.tif 000008
【図７】
2015090198.tif 000009